(57)【要約】      （修正有）【課題】電力消費が小さく、軽量でコンパクトでありながら、十分な指圧力と一定時間押し続けるという指圧動作を実現する指圧発生装置を提供する。【解決手段】非磁性材料から成る可動軸３９は、中空鉄心３６の内面で摺動自在に案内され、後端に可動永久磁石２４が、先端に可動永久磁石２７が配設され、可動永久磁石２７には指圧部材３０が固定されている。中空鉄心３６は、外周に巻き回したコイル３に通電すると励磁され、電流供給制御装置８によって通電方向を切り替えると、中空鉄心３６と可動永久磁石２４、２７との間で作用する反発力または吸引力により、可動軸３９と指圧部材３０が前進または後退するように構成する。【選択図】図２
0003153339.tif 000002
【実用新案登録請求の範囲】
【請求項１】
鉄心と、該鉄心を巻き回し通電により励磁するコイルと、該鉄心の先端側と後端側に一対の可動永久磁石を互いに同じ磁極が対面するように配設し、一対の該可動永久磁石を連結する連結棒を該鉄心に平行となるように配設し、該連結棒を摺動自在となるように案内する案内筒を配設し、一対の該可動永久磁石のいずれか一方に、滑らかな曲面を有する指圧部材を固定したことを特徴とする指圧発生装置。
【請求項２】
円筒形状の中空鉄心と、該中空鉄心を巻き回し通電により励磁するコイルと、該中空鉄心の内径面で案内された非磁性材料から成る可動軸と、該可動軸の先端側と後端側に一対の可動永久磁石を互いに同じ磁極が対面するように固定し、一対の該可動永久磁石のいずれか一方に、滑らかな曲面を有する指圧部材を固定したことを特徴とする指圧発生装置。
【考案の詳細な説明】
【技術分野】
【０００１】  この考案は、指圧マッサージ器に適用される指圧発生装置に関する。
【背景技術】
【０００２】  従来、ハンディーマッサージ器は振動を発生させるか、または回転モータで駆動される質量の往復運動により、肩や首を叩く方式のハンディーマッサージ器が主流であり、ハンディー指圧マッサージ器は見かけられない。また、チェア方式のマッサージ器も、揉む機能はあるが、一定時間押した状態を保持する指圧機能はない。【０００３】  振動を発生させる方式のハンディーマッサージ器は、マッサージを付与する箇所の表面に作用するが、筋肉の奥深い箇所の疲労回復効果は不十分である。【０００４】  叩く方式のハンディーマッサージ器では、繰り返し強く叩くと、マッサージを付与する箇所の血管が傷むと言われている。【０００５】  したがって、筋肉の奥深い箇所に作用し、マッサージを付与する箇所をじわりと押して、血管を傷めることの少ないハンディー指圧マッサージ器が望まれている。【０００６】  しかしながら、回転モータで駆動される質量の往復運動により、肩や首を叩く方式の従来のマッサージ器では、連続的に往復運動するので、一定時間マッサージを付与する箇所を押し続けるという指圧動作を実現することが困難である。
【考案の開示】
【考案が解決しようとする課題】
【０００７】  本考案は、上述したような不具合に鑑みてなされたもので、電力消費が小さく、軽量でコンパクトでありながら、十分な指圧力と一定時間押し続けるという指圧動作を実現する指圧発生装置の提供を目的とする。
【課題を解決するための手段】
【０００８】  本考案の請求項１によると、鉄心と、該鉄心を巻き回し通電により励磁するコイルと、該鉄心の先端側と後端側に一対の可動永久磁石を互いに同じ磁極が対面するように配設し、一対の該可動永久磁石を連結する連結棒を該鉄心に平行となるように配設し、該連結棒を摺動自在となるように案内する案内筒を配設し、一対の該可動永久磁石のいずれか一方に、滑らかな曲面を有する指圧部材を固定したことを特徴とする。【０００９】  また、本考案の請求項２によると、円筒形状の中空鉄心と、該中空鉄心を巻き回し通電により励磁するコイルと、該中空鉄心の内径面で案内された非磁性材料から成る可動軸と、該可動軸の先端側と後端側に一対の可動永久磁石を互いに同じ磁極が対面するように固定し、一対の該可動永久磁石のいずれか一方に、滑らかな曲面を有する指圧部材を固定したことを特徴としている。【０００１０】  前記の請求項１および請求項２に示す指圧発生装置は、特願２００５−１４３５２７、特願２００１−３９６３９、および特願平９−５６２６０で提案されている電磁駆動装置を用いている。【０００１１】  しかしながら、前記の電磁駆動装置を、マッサージを目的とした指圧発生装置に適用した例はなく、ハンディー指圧マッサージ器に適用するためには軽量かつコンパクトな構成とする必要があった。本考案では、前記の電磁駆動装置を、軽量かつコンパクトな構成として実現している。
【考案の効果】
【０００１２】  本考案の指圧発生装置では、一対の可動永久磁石はＳ極またはＮ極のいずれか一方の同極が対面するように配設されているので、コイルで励磁される鉄心の先端側と後端側に対して、該可動永久磁石の一方は鉄心に吸着され、他方は鉄心から反発する力を受ける。【０００１３】  一対の可動永久磁石は機械的に連結されているので、鉄心の先端側と後端側での可動永久磁石と鉄心の間の吸引力と反発力の合力が駆動力となり、コンパクトでありながら十分な指圧力が発生する装置を構成できる。【０００１４】  また、指圧は一定時間押し続けた後開放することによって、筋肉の深い部分の自然治癒力を刺激するものであるが、本考案の指圧発生装置では、コイルへの通電を切っても鉄心と可動永久磁石の一方は吸着した状態を保持する。【０００１５】  したがって、電力消費が小さく、小さな電源によって指圧発生装置に必要な電流を供給できるので、装置コストも低くできる。
【考案を実施するための最良の形態】
【０００１６】  以下に図面を参照して本考案に係わる実施例の形態を詳細に説明する。
以下、本考案に基づく２つの実施例を図１、図２、および図３に従って説明する。
【第一の実施例】
【０００１７】  図１（ａ）において、第一の実施例としての、指圧発生装置１の構成を説明する。
鉄心２にはコイル３が巻き回し強固に接着されている。また、該鉄心２と該コイル３は円筒部材４の内径に嵌合されて強固に接着され、該円筒部材４は、保持部材５に嵌着され強固に接着されている。
【０００１８】  該コイル３には、実線と破線で示す電流供給線６および７に接続されている。電流供給制御装置８は、電源９から動力を得て、直流電流を該電流供給線６、７に供給すると共に、電流方向の切り替えを行う。
【０００１９】  保持部材５には案内筒１０、１１が嵌着され、連結棒１２、１３が、それぞれ案内筒１０、１１によって摺動自在となるように案内されている。該連結棒１２、１３の一端は、可動部材１４に穿設された穴に嵌合され、それぞれ止め輪１５、１６および１７、１８によって固定されている。
【０００２０】  該連結棒１２、１３の他端は、可動部材１９に穿設された穴に嵌合され、それぞれ止め輪２０、２１および２２、２３によって固定されている。
【０００２１】  可動部材１４には可動永久磁石２４が配設され、押さえ板２５とネジ２６によって、可動部材１４に固定されている。
【０００２２】  可動部材１９には可動永久磁石２７が配設され、押さえ板２８とネジ２９によって、可動部材１４に固定されている。また、押さえ板２８には、指圧部材３０がネジ３１によって固定されている。
【０００２３】  円筒部材４の外周部には、圧縮コイルばね３２が、保持部材５と可動部材１４の間に配設されている。３５は装置カバーである。
【０００２４】  次に、第一の実施例の指圧発生装置１の動作と機能を説明する。図１（ａ）においては、鉄心２の、可動永久磁石２４と対面する側は、Ｓ極となるように励磁され、可動永久磁石２７と対面する側は、Ｎ極となるように励磁されている。
【０００２５】  したがって、鉄心２の可動永久磁石２４と対面する側は、可動永久磁石２４のＳ極と反発し合い、可動永久磁石２７と対面する側は、可動永久磁石２７のＳ極と吸引し合う。その結果、連結棒１２、１３によって連結されている可動部材１４と１９は矢印３３で示される方向に移動し、指圧部材３０が後退している。
【０００２６】  図１（ｂ）においては、電流供給制御装置８の動作によって、電流供給線６、７に供給される電流の方向が逆転されている。その結果、鉄心２の、可動永久磁石２４と対面する側は、Ｎ極となるように励磁され、可動永久磁石２７と対面する側は、Ｓ極となるように励磁されている。
【０００２７】  したがって、鉄心２の可動永久磁石２４と対面する側は、可動永久磁石２４のＳ極と吸引し合い、可動永久磁石２７と対面する側は、可動永久磁石２７のＳ極と反発し合う。その結果、連結棒１２、１３によって連結されている可動部材１４と１９は矢印３４で示される方向に移動し、指圧部材３０が前進し指圧を発生する。
【０００２８】  圧縮コイルばね３２は、可動部材１４が矢印３４方向に移動する際に抵抗する力を発生する。これによって、指圧部材３０がマッサージを施す部位に対して衝撃的な力を与えることを防止し、緩やかに変化する力で、じわりと押える効果を実現している。
【０００２９】  電流供給制御装置８は、図１の（ａ）と（ｂ）で示した状態の変化を与える際にのみ電流を供給すればよく、電力消費の小さいコンパクトな電流供給装置となっている。
【０００３０】  また、鉄心２と一対の可動永久磁石の反発力と吸引力を用いているため、鉄心２とコイル３は小型にすることができる。すなわち、軽量かつコンパクトな指圧発生装置を実現している。
【第二の実施例】
【０００３１】  図２（ａ）において、第二の実施例としての、指圧発生装置１の構成を説明する。
円筒形状の中空鉄心３６にはコイル３が巻き回され強固に接着されている。該中空鉄心３６とコイル３は、保持部材５に嵌合され強固に接着されている。支え板３７は該保持部材５に対して、ネジ３８で固定されている。
【０００３２】  該コイル３には、電流供給線６および７に接続されている。電流供給制御装置８は、電源９から動力を得て、直流電流を該電流供給線６、７に供給すると共に、電流方向の切り替えを行う。
【０００３３】  非磁性材料から成る可動軸３９は、中空鉄心３６の内径によって軸方向に摺動自在に案内されており、その両端にはネジ４０、４１が刻設されている。
【０００３４】  円筒形状を有する可動永久磁石２４は、該可動軸３９のネジ４０に嵌着され、可動軸３９と押え板４２で挟まれ、ナット４３によって強固に取り付けられている。
【０００３５】  円筒形状を有する可動永久磁石２７は、該可動軸３９のネジ４１に嵌着され、該ネジ４１にねじ込まれる指圧部材３０と可動軸３９で挟まれて強固に固定されている。
【０００３５】  圧縮コイルばね３２は、保持部材５と押え板４２の間に配設されている。３５は装置カバーである。
【０００３６】  次に、第二の実施例の指圧発生装置１の動作と機能を説明する。図２（ａ）においては、中空鉄心３６の、可動永久磁石２４と対面する側は、Ｓ極となるように励磁され、可動永久磁石２７と対面する側は、Ｎ極となるように励磁されている。
【０００３７】  したがって、中空鉄心３６の可動永久磁石２４と対面する側は、可動永久磁石２４のＳ極と反発し合い、可動永久磁石２７と対面する側は、可動永久磁石２７のＳ極と吸引し合う。その結果、可動軸３９は矢印３３で示される方向に移動し、指圧部材３０が後退している。
【０００３８】  図２（ｂ）においては、電流供給制御装置８の動作によって、電流供給線６、７に供給される電流の方向が逆転されている。その結果、中空鉄心３６の、可動永久磁石２４と対面する側は、Ｎ極となるように励磁され、可動永久磁石２７と対面する側は、Ｓ極となるように励磁されている。
【０００３９】  したがって、中空鉄心３６の可動永久磁石２４と対面する側は、可動永久磁石２４のＳ極と吸引し合い、可動永久磁石２７と対面する側は、可動永久磁石２７のＳ極と反発し合う。その結果、可動軸３９は矢印３４で示される方向に移動し、指圧部材３０が前進し指圧を発生する。
【０００４０】  圧縮コイルばね３２は、可動軸３９が矢印３４方向に移動する際に抵抗する力を発生する。これによって、指圧部材３０がマッサージを施す部位に対して衝撃的な力を与えることを防止し、緩やかに変化する力で、じわりと押える効果を実現している。
【０００４１】  電流供給制御装置８は、図２の（ａ）と（ｂ）で示した状態の変化を与える際にのみ電流を供給すればよく、電力消費の小さいコンパクトな電流供給装置となっている。
【０００４２】  また、中空鉄心３６と一対の可動永久磁石の反発力と吸引力を用いているため、中空鉄心３６とコイル３は小型にすることができる。すなわち、軽量かつコンパクトな指圧発生装置を実現している。
【０００４３】  次に、第一および第二の実施例で示した指圧発生装置を、ハンディー指圧マッサージ器に適用する方法を、図３で説明する。
【０００４４】  同図においては、指圧発生装置１にベルト４４、４５を取り付け、両手で該ベルトに張力を与えることによって、指圧マッサージを付与する箇所に十分な指圧が作用するようにしている。ベルトを装着することによって、肩、首、背中、腰、および足裏などに、手軽に指圧マッサージを施すことができる。
【図面の簡単な説明】
【０００４５】
【図１】は、本考案に基づく第一の実施例の指圧発生装置の構成を示す図。
【図２】は、本考案に基づく第二の実施例の指圧発生装置の構成を示す図。
【図３】は、本考案に基づく指圧発生装置をハンディー指圧マッサージ器に適用する方法の説明図。
【符号の説明】１            指圧発生装置
２            鉄心
３            コイル
４            円筒部材
５            保持部材
６、７        電流供給線
８            電流供給制御装置
９            電源
１０、１１    案内筒
１２、１３    連結棒
１４          可動部材
１５、１６    止め輪
１７、１８    止め輪
１９          可動部材
２０、２１    止め輪
２２、２３    止め輪
２４          可動永久磁石
２５          押さえ板
２６          ネジ
２７          可動永久磁石
２８          押さえ板
２９          ネジ
３０          指圧部材
３１          ネジ
３２          圧縮コイルばね
３３、３４    矢印
３５          装置カバー
３６          中空鉄心
３７          支え板
３８          ネジ
３９          可動軸
４０、４１    ネジ
４２          押さえ板
４３          ナット
４４、４５    ベルト
【図１】
0003153339.tif 000003
【図２】
0003153339.tif 000004
【図３】
0003153339.tif 000005